(57)【特許請求の範囲】
【請求項１】
ｍ個（ｍは整数）の異なる伝達能力によって、ｎ個（ｎは整数）の有効通話を携帯電話利用者端末へ送信するように構成された移動通信システム内で、携帯電話利用者端末へサービスを提供する方法であって、前記方法は、
ｍ個の異なる伝達能力によってｎ個の有効通話がセットアップされている一方で、追加の通話のセットアップを要求し、
並行して追加の通話をセットアップするか、保留すべき１つの通話を選択し追加の通話にサービスを提供するため保留する１つの通話と関連する伝達を使用することにより追加の通話をセットアップするか、または、追加の通話のセットアップを拒絶するかどうかを決定し、
ｎ個の有効通話の伝達能力を比較し、
ｎ個の有効通話のどれかが、追加の通話にサービスを提供するために要求される互換性のある伝達能力を有するかどうかを決定し、
ｎ個の有効通話の少なくとも１つが、追加の通話にサービスを提供するために要求される互換性のある伝達能力を有する場合には、追加の通話と互換性のある伝達能力を持つｎ個の有効通話の中から保留すべき１つを選択し、
選択した通話を保留状態に置き、
受信確認を送信し、
追加の通話をセットアップする過程を具備する方法。
【請求項２】
互換性のある伝達能力は、追加の通話に使用されるのに十分である請求項１に記載のサービスを提供する方法。
【請求項３】
セットアップのための追加の通話を拒絶する過程をさらに具備する請求項１に記載のサービスを提供する方法。
【請求項４】
並行して追加の通話をセットアップするか、保留すべき１つの通話を選択し追加の通話にサービスを提供するため保留する１つの通話と関連する伝達を使用することにより追加の通話をセットアップするか、または、追加の通話のセットアップを拒絶するかどうかを決定する過程は、利用者の設定に従う請求項１に記載のサービスを提供する方法。
【請求項５】
利用者の設定が一度行われる請求項４に記載のサービスを提供する方法。
【請求項６】
通信システムへの第一回目の接続前に、利用者の設定が行われる請求項４に記載のサービスを提供する方法。
【請求項７】
利用者の設定は通話セットアップ前に行われる請求項４に記載のサービスを提供する方法。
【請求項８】
並行して追加の通話をセットアップするか、保留すべき１つの通話を選択し追加の通話にサービスを提供するため保留する１つの通話と関連する伝達を使用することにより追加の通話をセットアップするか、または、追加の通話のセットアップを拒絶するかどうかを決定する過程は、パラメーターの設定に応じて決定する請求項１に記載のサービスを提供する方法。
【請求項９】
保留すべき通話の選択は、利用者の設定に従う請求項１に記載のサービスを提供する方法。
【請求項１０】
追加の通話が通話待ち受け状態であることを決定する過程をさらに具備する請求項１に記載のサービスを提供する方法。
【請求項１１】
複数の利用者による電話会議をセットアップする過程をさらに具備する請求項１に記載のサービスを提供する方法。
【請求項１２】
通話が別の利用者に転送される請求項１に記載のサービスを提供する方法。
【請求項１３】
サービスがＵＭＴＳシステムにおいて、ＧＳＭシステムから利用者によって受け継がれた補足的なサービスである請求項１に記載のサービスを提供する方法。
【請求項１４】
互換性のある伝達能力は、ｎ個の有効通話の1つの伝達能力と同じである請求項１に記載のサービスを提供する方法。
【請求項１５】
ｍ個（ｍは整数）の伝達能力によって、携帯電話利用者端末がｎ個（ｎは整数）の有効通話を利用することを可能にするように構成された移動通信システムの論理装置であって、
ｍ個の伝達能力によってｎ個の有効通話がセットアップされている一方で、追加の通話のセットアップを要求する手段と、
並行して追加の通話をセットアップするか、保留すべき１つの通話を選択し追加の通話にサービスを提供するため保留する１つの通話と関連する伝達を使用することにより追加の通話をセットアップするか、または、追加の通話のセットアップを拒絶するかどうかを決定するように機能する第１のユニットと、
ｎ個の有効通話の伝達能力を比較し、
ｎ個の有効通話のどれかが、追加の通話にサービスを提供するために要求される互換性のある伝達能力を有するかどうかを決定し、
ｎ個の有効通話の少なくとも１つが、追加の通話にサービスを提供するために要求される互換性のある伝達能力を有する場合には、追加の通話と互換性のある伝達能力を持つｎ個の有効通話の中から保留すべき１つを選択し、
選択した通話を保留状態に置き、
受信確認を送信し、
追加の通話をセットアップするための命令を実行するように機能する比較器と、
有効通話に関する情報を格納するように機能する格納手段と、
を具備する装置。
【請求項１６】
格納手段に格納される情報は、通話識別、伝達識別および伝達能力を示す請求項１５に記載の論理装置。
【請求項１７】
第１のユニットは、決定結果を定義する利用者の設定に従う請求項１５に記載の論理装置。
【請求項１８】
利用者の設定が一度行われる請求項１７に記載の論理装置。
【請求項１９】
通信システムへの第一回目の接続前に、利用者の設定が行われる請求項１７に記載の論理装置。
【請求項２０】
利用者の設定は通話セットアップ前に行われる請求項１７に記載の論理装置。
【請求項２１】
決定が取られるべきであることを携帯電話利用者へ示すように機能する指示器をさらに具備する請求項１５に記載の論理装置。
【請求項２２】
前記論理装置は、前記移動通信システムのコアネットワーク内にある請求項１５に記載の論理装置。
【請求項２３】
前記論理装置は、前記移動通信システムの携帯電話利用者端末内にある請求項１５に記載の論理装置。
【発明の詳細な説明】
【０００１】
発明の技術分野
本発明は、移動通信システムで、異なる伝達能力による複数の通話を処理するサービス提供方法と論理装置に関連する。
【０００２】
発明の要旨
移動通信システムを介して通信する場合、複数の場合においては、加入者は第三者によって呼び出され、あるいは、複数人との通信を望む。ＧＳＭ（移動通信グローバルシステム）通信システムは、例として通話中着信サービス、保留サービス、通話転送サービスおよび多数共同通話サービスのような補足サービスを提供することによってシステムをサポートする。すべてのサービスは当該ネットワークによって提供され、携帯電話利用者によって稼動している。
【０００３】
コアネットワークは少なくともネットワークの特徴と通信サービスサポートを提供するもので構成している。当該サポートは例えば、利用者の位置情報管理、ネットワークの特徴およびサービスの管理、信号方式および利用者からの情報の転送メカニズムなどの機能性を有すると推定する。
【０００４】
以下の定義において、利用者Ｂは利用者Ａと通話中であり、利用者Ａは各補足サービスをネットワークにて提供された携帯電話利用者であり、利用者Ｃは利用者Ａに電話をかけたか、あるいは、利用者Ａから呼び出された利用者であるとする。
【０００５】
通話中着信サービスは、利用者Ａが利用者Ｃからの通話を受けることを可能にする。利用者Ｃからの通話は通話中着信サービスに保留され、利用者Ｂに指示が送られる。利用者Ｂは利用者Ａの通話を保留して利用者Ｃからの通話を受けることができる。この呼出は、通話転送サービスによって転送可能であるため、利用者Ｂは利用者Ｃからの通話を拒絶することも可能である。利用者Ｂが利用者Ｃからの通話を受ける場合は、利用者Ｃと通話保留状態の利用者Ａを含めて多数共同通話サービスの準備に入ることができる。（１９９６年１１月、第５．０．０版、欧州電気通信標準化機構標準ＧＳＭ０．２８３およびＧＳＭ０．２８４）
【０００６】
発明の要旨
図１１ｂは３人の利用者Ａ、Ｂ、Ｃ間の多数共同通話サービスの一例である。この例において、多数共同通話はサービスされて、移動サービス交換センタＭＳＣにて電話会議装置ＣＣＤによって実行される。電話会議装置は同時に二人以上の電話の相手と相互に接続を可能にする装置である。
国際特許出願ＷＯ９６／０８９３７は通話中着信サービスおよび保留補足サービスは有効通話の全局面における、有効となりうる無線電話システムを導く。これは保留および通話中着信補足サービスの能力を拡張させるが、同方向通話のセットアップを許していない。
【０００７】
ＧＳＭ通信システムは、ＧＰＲＳ（一般パケット無線サービス）のようなパケットデータ交換サービスも提供する。しかし、例えば、有効音声通話、インターネット閲覧およびファックス受信を同時に行うことはまだ可能ではないため、平行して複数の通信のセットアップを行う上で欠点がある。
英国特許出願ＧＢ２３２０１６２は複数同方向通話を可能とする移動端末からの通信方法を説明している。たとえ必要な伝送容量に満たなくても、当該方法は、新規通話のセットアップを許可する。その場合、使用中の通話に使用された回線容量は縮小される。したがって、新規通話のセットアップは使用中の通話に応じて決まる。
【０００８】
前記欠点を克服するために、呼称ＵＭＴＳ（ユニバーサル移動通信サービス）が開発中である。この通信システムの原理の一つは、一人の利用者が同時に複数の通話を操作できること（１９９９年１月、第２．０．０版、欧州電気通信標準化機構標準ＵＭＴＳ２２．００）を意味する、複数通話の提供である。
【０００９】
ＵＭＴＳ（ユニバーサル移動通信システム）通信システムは、１つの携帯電話利用者の端末へ複数の通話を統御することができ、これを複式通話能力と呼ぶ。ＧＳＭ（移動通信グローバルシステム）とは反対に、ＵＭＴＳ通信システムは、第一番目の通話を公表も保留もしない。ＵＭＴＳ通信システムは、一つの携帯電話利用者端末に複数の通話を平行してセットアップする。これは一人の携帯電話利用者が同時に複数のアプリケーションの使用することを可能とする。例えば、一人の携帯電話利用者がファックスの受信およびデータ通信を行いながら音声通話を実施することができる。たとえ多重データ通信のような同種の複数通話であっても可能である。図１１ａは装置Ｂと装置Ｃから一つの携帯電話利用者端末Ａへの多重通信の可能な実施例を示したものである。この例では、複数通話は移動サービス交換センターＭＳＣによって平行して処理される。
【００１０】
周知のＵＭＴＳの欠点は、例えば、一人の携帯電話利用者が二人の加入者間の接続を提供すると同時に、二人の加入者が音声通話をセットアップを可能にする説明がない点である。
【００１１】
周知の従来技術の欠点は、複数通話をセットアップするネットワークリソースが使い果たされている場合には実施不可能という点である。
【００１２】
したがって、本発明の目的は、一人の携帯電話利用者に対して、付帯サービスとともに同様のまたは異なる伝達能力を具備した複数の通話をサポートする移動通信システムにおいて、一人の携帯電話利用者に提供することである。
【００１３】
この課題は請求項１の方法と請求項１６と１７の論理装置によってうまく解決される。
【００１４】
携帯電話利用者とコアネットワークとの間のエアーインターフェースが一通話に対してのみ使用されることが好適である。そして、さらに効率的に無線源を使用することによって、同時に、さらに多くの通話を携帯電話利用者に提供できる。
【００１５】
携帯電話利用者は通話毎に新規の通話を受ける方法を決定できることによって、通信システムと携帯電話利用者端末は、携帯電話利用者にさらに通話に対する適応性を広げる。
【００１６】
携帯電話利用者端末があまり通話を使用しないことが好適であり、これは蓄電池の電力を消耗から保護し、待ち受け時間と携帯電話利用者端末の有効通話時間を延長させる。
【００１７】
別の利点は、当該システムがＧＳＭと類似した、携帯電話利用者にとっては周知のサービスを使用することであり、これは利用者がこの新システムを受け入れて慣れるのに必要な時間を短縮させる。
【００１８】
当該システムがＧＳＭと類似した、携帯電話利用者にとっては周知のサービスを使用することはさらに好適であり、これは利用者が必要とする新システムに慣れる時間を短縮し、新しい携帯電話利用者が新システムを使用するまでの時間を短縮する。
【００１９】
関連ハードウェアを携帯電話利用者端末内に具備する代わりにコアネットワーク内に配置することが好適である。これは経費を削減し、携帯電話利用者端末の大きさを軽減する。
【００２０】
本発明のさらに好適な実施例は、請求項２から１５および１８から２３で理解される。
【００２１】
従属する請求項によると、通話が新規の同方向通話としてセットアップされるべきか否か、通話が保留されるか否か、または、通話が拒絶されるか否かを決定する、利用者が決定した設定がすべての通話に対して、一度の設定で定義可能であることが好適であり、これは携帯電話利用者に対して、さらに快適なサービスの利用をはかる。
【００２２】
従属する請求項によると、別の利点は、通話が新規の同方向通話としてセットアップされるか否か、通話が保留されるか否か、または、通話が拒絶されるか否かを決定する、利用者が決定した設定が、各通話発生前に定義可能であることであり、これは利用者に対して、さらに柔軟なサービスの利用をはかる。
【００２３】
従属する請求項によると、通話が新規の同方向通話としてセットアップされるか否か、通話が保留されるか否か、または、通話が拒絶されるか否かを決定する、利用者が決定した設定が、多数の通話をサポートする移動通信システムにおいて、第一番目の通話接続前に定義可能であることが好適であり、これはサービスの柔軟性と便宜性を融合した良好な中間的サービスを提供する。
【００２４】
従属する請求項によると、決定論理は完全に携帯電話利用者端末で実行されることが好適であり、これはコアネットワークにかかる過程を軽減し、コアネットワークが同時にさらに多くの通話の試みを実行することができるので、コアネットワークの性能を改善する。
【００２５】
従属する請求項によると、決定論理は完全に携帯電話利用者端末で実行されることが好適であり、これは携帯電話利用者端末とコアネットワークの間の必要な情報転送を軽減し、エアインターフェースで、さらに負うべきトラフィックを可能にする。
【００２６】
従属する請求項によると、決定論理は部分的にコアネットワークで実行されることが好適であり、これは携帯電話利用者端末に通話が着信する場合に、必要なシグナリングを軽減する。
【００２７】
詳細な説明
図１から１０によると、当該シーケンスは必要な転送過程全体の一部のみである。しかし、明瞭であるために、必要な部分のみを示している。
【００２８】
以下に、言語通話は言語接続と同義語として使用され、音声通話という意味に限定することなく、携帯電話利用者端末に供給可能なすべての種類の接続として使用される。
【００２９】
理解すべきこととして、携帯電話利用者端末は、通信システムを介して無線で通信可能な装置である。例えば、それは通信可能な携帯用コンピューター、携帯電話、あるいは、携帯用マルチメディアシステムである。
【００３０】
以下に、本発明による方法が説明される。その説明の次に、全般的に本発明を記述し、この後、本発明は図１から１０を用いて説明される。
【００３１】
ｍ＝１，２，３，．．．で、異なる伝達能力ｍで、ｎ＝１，２，３，．．．で、通話数ｎが、処理される移動通信システムでサービス提供方法は、以下の過程を有する。異なる伝達能力ｍを具備した通話数ｎがすでにセットアップされている一方で、さらにｎ＋１番目の通話のセットアップ要求は受信も送信も行われる。さらに、双方向通話をセットアップするか否か、または、保留すべき一通話を選択して，新規通話に対して伝達能力を具備した一伝達力を使用することによってｎ＋１番目の通話をセットアップするか否か、が決定される。
【００３２】
すでにセットアップされた別の通話の伝達能力を割り当てることが有効であると推定されるので、以下の過程が実行される。ｎ＋１番目の通話の伝達能力が比較される。ｎ個の通話のうちの何れかがｎ＋１番目の通話と同じ伝達能力ｍを有する。そして、当該通話と同じ伝達能力を具備したｎ個の通話のうちの一つが保留するように選ばれる。そのとき選択された通話は保留されて、受信確認の送信と次の通話のセットアップが実行される。
【００３３】
同じ伝達能力の通話が全くない場合、サービス提供方法は、通話数ｎのうち何れかがさらに付加する通話に使用されるべき十分な伝達能力を有しているか否かを決定する過程を提供する。十分な、とは、新規通話の試みの伝達要求が実行されて、当該通話がセットアップされうることを意味する。これにより、可能性のある通話のうち一つが保留されうる。しかし、利用者が選択すべき変更事項または自動的に当該選択が行われる変更事項が生じるかもしれないという条件がある。
【００３４】
本発明の第一番目の例で、例えば移動通信システムのようなコアネットワークＵＭＴＳ  ＣＮは、有効通話の伝達能力を具備した入力通話が試みた伝達能力に伝達要求を比較する手段を具備した論理装置ＬＵを有する。
【００３５】
伝達要求は、一通話で使用される伝達によって実行すべき伝達能力として理解されるべきである。伝達要求は、遅延、遅延ジッタ、データ率、ビット誤り率、誤り検波、誤り訂正および次の要求に制限されずに実行されうる。
【００３６】
入力通話の試みは、携帯電話利用者端末ＵＥでの通話を終了させようとする。
【００３７】
コアネットワークＵＭＴＳ  ＣＮでの論理装置ＬＵは、入力通話の試みが通話中着信サービスに置かれるべきか否かを決定する手段および有効通話に関する情報と、少なくとも伝達能力、伝達識別および通話識別を格納すべき格納手段を有する。
【００３８】
この決定は利用者の設定、例えばトラフィック負荷のような通信ネットワークの現状に関する情報、入力通話の試みに関する情報および携帯電話利用者端末とその能力に関する情報に基づいて成されうる。
【００３９】
携帯電話利用者端末は、通話が保留されるべきか否か、および、どの通話が保留されるべきかを決定する手段を具備した第一番目の論理装置ＬＵ１を有する。第一番目の論理装置ＬＵ１は、入力通話要求の伝達要求が携帯電話利用者端末ＵＥの有効通話によって使用済みの伝達によって実行されるか否かを決定する手段も有する。例として、データ通信の入力通話要求の伝達要求は、音声通話以外の方法を用いずに実行される。第一番目の論理装置ＬＵ１は有効通話と、少なくとも伝達能力および通話識別を格納すべき格納手段を有する。
【００４０】
以下に、一つの実施例が図１を用いて説明されている。
携帯電話利用者端末ＵＥはセットアップメッセージＳＥＴＵＰ１（Ａ−Ｂ）を例えば移動通信システムと言った、コアネットワークＵＭＴＳ  ＣＮへ送信することによって第一段階で第一番目の通話をセットアップする。このメッセージは、少なくとも要求された通話形式、通話が接続されるべき加入者および通話識別に関する情報を有する。通話形式は例えば、最大速度音声通話または６４ｋｂｉｔ／ｓデータ通信といった通話形式を識別する情報である。コアネットワークＵＭＴＳ  ＣＮは、割り当てメッセージＡＳＳＩＧＮ１を送信することによって、第２段階で返答する。これは要求された通話を確認し、少なくとも、うまくセットアップされた通話に対して、伝達識別を有する。これはコアネットワークＵＭＴＳ  ＣＮおよび携帯電話利用者端末ＵＥに要求伝達を利用者水準にセットアップするように命令する。第一番目の論理装置ＬＵ１と論理装置ＬＵは相当する通話情報を格納する。
【００４１】
携帯電話利用者端末ＵＥはセットアップメッセージＳＥＴＵＰ２（Ａ−Ｃ）をコアネットワークＵＭＴＳ  ＣＮへ送信することによって第三段階での第二番目の通話をセットアップする。このメッセージは、少なくとも要求された通話形式、通話が接続されるべき加入者および通話識別に関する情報を有する。コアネットワークＵＭＴＳ  ＣＮは、要求通話を確認し、少なくとも、うまくセットアップされた通話に対しての伝達識別を有する割り当てメッセージＡＳＳＩＧＮ２を送信することによって第四段階で応答する。第一番目の論理装置ＬＵ１および論理装置は、相当する通話に関する情報を格納する。
【００４２】
ここで述べるべきことは、携帯電話の発信通話として、第一番目と第二番目の通話のセットアップは実例によってのみ選択され、本発明の限定例としてみるべきではない。
【００４３】
利用者端末ＵＥはセットアップメッセージＳＥＴＵＰ３（Ａ−Ｄ）をコアネットワークＵＭＴＳ  ＣＮへ送信することによって第五段階で第三番目の通話をセットアップする。このメッセージは少なくとも、要求通話形式、通話が接続されるべき加入者および通話識別に関する情報を再度有する。コアネットワークＵＭＴＳ  ＣＮは要求された通話を確認し、少なくとも、うまくセットアップされた通話に対して伝達識別を有する割り当てメッセージＡＳＳＩＧＮ３を送信することによって第６段階で応答する。これはコアネットワークＵＭＴＳ  ＣＮおよび携帯電話利用者端末ＵＥに要求伝達を利用者の水準にセットアップするように命令する。第一番目の論理装置ＬＵ１および論理装置ＬＵは相当する通話に関わる情報を格納する。
【００４４】
以前記載したように、通話数ｎが同方向にセットアップされる。実施例において、同方向にセットアップされる通話数は３である。しかし、すでに述べたように、すべての通話の伝達要求は異なるはずである。通話ｎは異なる伝達能力数ｍを有すること、または、一つだけ異なる伝達能力を有することが可能である。通話数ｎ＝３に対して、伝達能力ｍ＝１，２，または３が可能である。それはｍ＝１に対して、すべての通話は同形式のものであり、ｍ＝３に対して、すべての通話は別形式のものである。
【００４５】
以下に実例が図２を用いて説明される。
携帯電話利用者端末ＵＥはセットアップメッセージＳＥＴＵＰ１（Ａ−Ｂ）をコアネットワークＵＭＴＳ  ＣＮに送信することによって第一段階で第一番目の通話をセットアップする。このメッセージは、少なくとも、要求通話形式、通話が接続されるべき加入者、および、通話識別に関わる情報を有する。コアネットワークＵＭＴＳ  ＣＮは要求通話を確認し、少なくとも、うまくセットアップされた通話に対しての伝達識別を有する割り当てメッセージＡＳＳＩＧＮ１を送信することによって第二段階で応答する。これはコアネットワークＵＭＴＳ  ＣＮおよび携帯電話利用者端末ＵＥに要求伝達を利用者水準にセットアップするように命令する。第一番目の論理装置ＬＵ１および論理装置ＬＵは通話に関わる相当な情報を格納する。
【００４６】
携帯電話利用者端末ＵＥはセットアップメッセージＳＥＴＵＰ２（Ａ−Ｃ）をコアネットワークＵＭＴＳ  ＣＮに送信することによって第三段階で二番目の通話をセットアップする。このメッセージは、少なくとも、要求通話形式、通話が接続されるべき加入者および通話識別に関わる情報を再度有する。コアネットワークＵＭＴＳ  ＣＮは要求通話を確認し、少なくとも、うまくセットアップされた通話に対して伝達識別を有する割り当てメッセージＡＳＳＩＧＮ２を送信することによって第四段階で返答する。これはコアネットワークＵＭＴＳ  ＣＮおよび携帯電話利用者端末ＵＥに要求伝達を利用者水準にセットアップするように命令する。第一番目の論理装置ＬＵ１および論理装置ＬＵは通話に関わる相当な情報を格納する。
【００４７】
第三番目の通話をセットアップする前に、携帯電話利用者端末ＵＥでの第一番目の論理装置ＬＵ１は一通話を保留状態にすべきであると決定する。第一番目の論理装置ＬＵ１は第一番目の通話を保留にすると決定する。携帯電話利用者端末は、保留メッセージＨＯＬＤ（Ａ−Ｂ）を送信することによって、この決定に関してコアネットワークＵＭＴＳ  ＣＮに通知する。このメッセージは通話が保留されるべき情報および当該通話の通話識別を含む。コアネットワークＵＭＴＳ  ＣＮは、通話を保留し、保留された通話の通話識別を含むメッセージＨＯＬＤ  ＡＣＫ（Ａ−Ｂ）を送信することによって受信確認する。
【００４８】
その後、携帯電話利用者端末は、メッセージＳＥＴＵＰ３（Ａ−Ｄ）をコアネットワークへ送信することによって第一番目の通話の伝達を再利用した第三番目の通話をセットアップし始める。第一番目の通話によって伝達時に使用された情報が、第一番目の論理装置ＬＵ１に格納すべき格納手段で格納可能であり、あるいは、受信確認メッセージＨＯＬＤ  ＡＣＫ（Ａ−Ｂ）に収容可能である。
【００４９】
以前に述べたように、第一番目の論理装置ＬＵ１は通話が同方向通話を可能にする代わりに保留にすべきであると決定する。後に述べるように、論理ユニットは全ての通話のそれぞれに対して待受すべきか、同方向通話を許可すべきか、あるいは、この判断は１回に限り行うか、さらにはこの判断を各通話の前に行うかを決定するようにプログラムしておくことができる。
【００５０】
通話保留した伝達能力が、セットアップされる新規通話の伝達能力と同等である場合に、多数同時通話サービスを行使できる。通話の二つの伝達能力が異なる場合に、重複通話の割り当てがなされる。重複通話の割り当ては図７によって説明される。
【００５１】
以下に実施例は、図３を用いて説明される。携帯電話使用者端末ＵＥはセットアップメッセージＳＥＴＵＰ１（Ａ−Ｂ）をコアネットワークＵＭＴＳ  ＣＮへ送信することで、第一段階で第一番目の通話をセットアップする。このメッセージは、少なくとも要求通話形式、通話が接続される加入者および通話識別に関わる情報を有する。コアネットワークＵＭＴＳ  ＣＮは、要求通話を確認し、少なくとも、うまくセットアップされた通話に対して伝達識別を有する割り当てメッセージＡＳＳＩＧＮ１を送信することで、第二段階で応答する。これはコアネットワークＵＭＴＳ  ＣＮおよび携帯電話利用者端末ＵＥに要求伝達を利用者水準にセットアップするように命令する。第一番目の論理装置ＬＵ１および論理装置ＬＵは通話に関して相当する情報を格納する。
【００５２】
携帯電話利用者端末ＵＥはコアネットワークＵＭＴＳ  ＣＮへセットアップメッセージＳＥＴＵＰ２（Ａ−Ｃ）を送信することによって第三段階で第二番目の通話をセットアップをする。このメッセージは、少なくとも、例えばデータ通信、通話が接続されるべき加入者および通話識別と言った、要求された通話形式に関する情報を有する。コアネットワークＵＭＴＳ  ＣＮは割り当てメッセージＡＳＳＩＧＮ２を送信することで、第四段階で応答する。これは、要求された通話を確認し、少なくとも、うまくセットアップされた通話に対しての伝達識別を有する。これはコアネットワークＵＭＴＳ  ＣＮおよび携帯電話利用者端末ＵＥに、要求された伝達を利用者水準にセットアップするように命令する。第一番目の論理装置ＬＵ１および論理装置ＬＵは通話に関して相当する情報を格納する。
【００５３】
コアネットワークＣＮは利用者Ｄから利用者Ａへの入力呼の試みを示したセットアップＳＥＴＵＰ３（Ｄ−Ａ）を受信する。コアネットワークＵＭＴＳ  ＣＮでの論理装置ＬＵは、入力呼が新規の同方向通話としてセットアップされ、携帯電話利用者端末ＵＥへセットアップメッセージＳＥＴＵＰ３（Ｄ−Ａ）および割り当てメッセージＡＳＳＩＮＧ３を送信することを決定する。当該メッセージは、少なくとも要求通話形式、通話が接続されるべき加入者、通話識別および伝達識別に関する情報を含む。
【００５４】
以下に実施例が図４を用いて説明される。携帯電話利用者端末ＵＥはコアネットワークＵＭＴＳ  ＣＮへセットアップメッセージＳＥＴＵＰ１（Ａ−Ｂ）を送信することで第一段階での第一番目の通話をセットアップする。このメッセージは、少なくとも要求通話形式、通話が接続されるべき加入者および通話識別に関する情報を含む。コアネットワークＵＭＴＳ  ＣＮは要求通話を確認し、少なくとも、うまくセットアップされた通話に対しての伝達識別を有する割り当てメッセージＡＳＳＩＧＮ１を送信することで第二段階で応答する。これはコアネットワークＵＭＴＳ  ＣＮおよび携帯電話利用者端末ＵＥに要求伝達を利用者水準にセットアップするように命令する。第一番目の論理装置ＬＵおよび論理装置ＬＵは通話に関して相当する情報を格納する。
【００５５】
携帯電話利用者端末ＵＥはコアネットワークＵＭＴＳ  ＣＮへ利用者Ａから利用者Ｃへ通話セットアップを要求した、セットアップメッセージＳＥＴＵＰ２（Ａ−Ｃ）を送信することで、第三段階での第二番目の通話をセットアップする。このメッセージは少なくとも、例えば、音声通話、通話が接続されるべき加入者および通話識別と言った、要求通話形式に関する情報を含む。コアネットワークＵＭＴＳ  ＣＮは、要求通話を確認し、少なくとも、うまくセットアップされた通話に対しての伝達識別を有する割り当てメッセージＡＳＳＩＧＮ２を送信することで第四段階で応答する。これはコアネットワークＵＭＴＳ  ＣＮおよび携帯電話利用者端末ＵＥに要求伝達を利用者水準にセットアップするように命令する。第一番目の論理装置ＬＵ１および論理装置ＬＵは通話に関して相当する情報を格納する。
【００５６】
コアネットワークＵＭＴＳ  ＣＮは利用者Ｄから利用者Ａへ入力呼の試みを示したメッセージＳＥＴＵＰ３（Ｄ−Ａ）を受信する。コアネットワークＵＭＴＳ  ＣＮでの論理装置ＬＵは、入力呼が通話待ち受けとして与えられ、通話待ち指示メッセージＳＥＴＵＰＷを携帯電話利用者端末ＵＥへ送信することを決定する。このメッセージは、少なくとも要求通話形式、通話が接続されるべき加入者および通話識別に関する情報を含む。第一番目の論理装置ＬＵ１はこの通話待ち受けの受信を決定し、携帯電話利用者端末ＵＥが通話確認（ＣＡＬＬ  ＣＯＮＦＩＲＭＥＤ）をコアネットワークＵＭＴＳ  ＣＮに通知する。携帯電話利用者端末ＵＥがコアネットワークＵＭＴＳ  ＣＮへ警告メッセージＡＬＥＲＴＩＮＧを送信することで通話グループに向けてシグナリングを開始する。携帯電話利用者端末ＵＥでの第一番目の論理装置ＬＵ１は第一番目の通話を保留することを決定する。携帯電話利用者端末ＵＥは保留メッセージＨＯＬＤ（Ａ−Ｂ）を送信することでコアネットワークＵＭＴＳ  ＣＮに通知する。このメッセージは、通話が保留されるべき情報および当該通話の通話識別を含む。コアネットワークＵＭＴＳ  ＣＮは通話を保留し、保留された通話の通話識別を含む、メッセージＨＯＬＤ  ＡＣＫ（Ａ−Ｂ）を送信することで受信確認する。
【００５７】
その後、携帯利用者端末は、例えば、コアネットワークへセットアップメッセージＣＯＮＮＥＣＴ（Ｄ−Ａ）を送信することで第一番目の通話伝達を再利用するなどをして、通話待ちを受ける。第一番目の通話で利用した伝達情報が、第一番目の論理装置ＬＵ１の格納手段で格納されることも、受信確認メッセージＨＯＬＤ  ＡＣＫ（Ａ−Ｂ）に含まれることも可能である。
【００５８】
以下に実施例が図５を用いて説明される。携帯電話利用者端末ＵＥがコアネットワークＵＭＴＳ  ＣＮへセットアップメッセージＳＥＴＵＰ１（Ａ−Ｂ）を送信することで第一段階での第一番目の通話をセットアップする。このメッセージは、少なくとも要求通話形式、通話が接続されるべき加入者および通話識別に関する情報を含む。コアネットワークＵＭＴＳ  ＣＮは要求通話を確認し、少なくとも、うまくセットアップされた通話に対しての伝達識別を有する割り当てメッセージＡＳＳＩＧＮ１を送信することで、第二段階で応答する。これはコアネットワークＵＭＴＳ  ＣＮおよび携帯電話利用者端末ＵＥに要求伝達を利用者水準にセットアップするように命令する。第一番目の論理装置ＬＵ１および論理装置ＬＵは通話に関した相当する情報を格納する。
【００５９】
携帯電話利用者端末ＵＥはコアネットワークＵＭＴＳ  ＣＮへセットアップメッセージＳＥＴＵＰ２（Ａ−Ｃ）を送信することで第三段階での第二番目の通話をセットアップする。このメッセージは、少なくとも要求通話形式、通話が接続されるべき加入者および通話識別に関する情報を含む。コアネットワークＵＭＴＳ  ＣＮは要求通話を確認し、少なくとも、うまくセットアップされた通話に対しての伝達識別を有する割り当てメッセージＡＳＳＩＧＮ２を送信することで第四段階で応答する。これはコアネットワークＵＭＴＳ  ＣＮおよび携帯電話利用者ＵＥに要求伝達を利用者水準にセットアップするように命令する。第一番目の論理装置ＬＵ１および論理装置ＬＵは通話に関して相当する情報を格納する。
【００６０】
コアネットワークＵＭＴＳ  ＣＮは入力呼の試みを示したメッセージＳＥＴＵＰ３（Ｄ−Ａ）を受信する。コアネットワークＵＭＴＳ  ＣＮは、通話待ち受け指示メッセージＳＥＴＵＰＷを送信することで通話待ち受けとしても、セットアップメッセージＳＥＴＵＰ３（Ｄ−Ａ）を送信することで新規の同方向通話としてもこの通話を提供する。携帯電話利用者ＵＥでの第一番目の論理装置ＬＵ１はこの通話の試みを拒絶することを決定する。携帯電話利用者端末は、少なくとも通話拒絶情報および拒絶通話識別情報を搬送するメッセージＤＩＳＣＯＮＮＥＣＴ（Ｄ−Ａ）を送信することでコアネットワークＵＭＴＳ  ＣＮに通知する。
【００６１】
本発明の第２番目の実施例において、携帯電話利用者端末は、通話が新規の同方向通話または通話待ち受けとして実行されるべきか否かを決定する手段を具備した第二番目の論理装置ＬＵ２を有する。第二番目の論理装置ＬＵ２は、通話が保留されるか否か、および、どの通話が保留されるべきか、を決定する手段も含む。第二番目の論理装置ＬＵ２は入力通話要求の伝達要求が携帯電話利用者端末ＵＥの有効通話によって使用済みの伝達によって実行されるか否か、を決定する手段も含む。第二番目の論理装置ＬＵ２は、有効通話、少なくとも伝達能力、伝達識別および通話識別に関する情報を格納する格納手段も有する。
【００６２】
以下に実施例が図６を用いて説明される。携帯電話利用者端末ＵＥはコアネットワークＵＭＴＳ  ＣＮへセットアップメッセージＳＥＴＵＰ１（Ａ−Ｂ）を送信することで第一段階での第一番目の通話をセットアップする。このメッセージは、少なくとも要求通話形式、通話が接続されるべき加入者および通話識別に関する情報を含む。通話形式は、例えば、最大速度音声通信または６４ｋｂｉｔ／ｓデータ通信またはその他の形式の通信と言った、通話形式を識別した情報である。
【００６３】
コアネットワークＵＭＴＳ  ＣＮは割り当てメッセージＡＳＳＩＧＮ１を送信することで第二段階で応答する。これは要求通話を確認し、少なくとも、うまくセットアップした通話に対しての伝達速度を含む、これはコアネットワークＵＭＴＳ  ＣＮおよび携帯電話利用者端末ＵＥに要求伝達を利用者水準にセットアップするように命令する。第二番目の論理装置ＬＵ２は通話に関して相当する情報を格納する。
【００６４】
携帯電話利用者端末ＵＥはコアネットワークＵＭＴＳ  ＣＮへセットアップメッセージＳＥＴＵＰ２（Ａ−Ｃ）を送信することで第三段階での第二番目の通話をセットアップする。このメッセージは、少なくとも要求通話形式、通話が接続されるべき加入者および通話識別に関する情報を含む。コアネットワークＵＭＴＳ  ＣＮは要求通話を確認し、少なくとも、うまくセットアップされた通話に対しての伝達識別を有する割り当てメッセージＡＳＳＩＧＮ２を送信することで第四段階で応答する。これはコアネットワークＵＭＴＳ  ＣＮおよび携帯電話利用者端末ＵＥに要求伝達を利用者水準にセットアップするように命令する。第二番目の論理装置ＬＵ２は通話に関して相当する情報を格納する。
【００６５】
利用者端末ＵＥはコアネットワークＵＭＴＳ  ＣＮへセットアップメッセージＳＥＴＵＰ３（Ａ−Ｄ）を送信することで第五段階での第三番目の通話をセットアップする。このメッセージは、少なくとも要求通話形式、通話が接続されるべき加入者および通話識別に関する情報を含む。コアネットワークＵＭＴＳ  ＣＮは、要求通話を確認し、少なくとも、うまくセットアップされた通話に対しての伝達識別を含む割り当てメッセージＡＳＳＩＧＮ３を送信することで第六段階で応答する。これはコアネットワークＵＭＴＳ  ＣＮおよび携帯電話利用者端末ＵＥに要求伝達を利用者水準にセットアップする。第二番目の論理装置ＬＵ２は通話に関して相当する情報を格納する。
【００６６】
以下に実施例が図７を用いて説明されている。携帯電話利用者装置ＵＥはコアネットワークＵＭＴＳ  ＣＮへセットアップメッセージＳＥＴＵＰ１（Ａ−Ｂ）を送信することで第一段階での第一番目の通話をセットアップする。このメッセージは、少なくとも要求通話形式、通話が接続されるべき加入者および通話識別に関する情報を含む。通話形式は、例えば、最大速度音声通話または６４ｋｂｉｔ／ｓデータ通信と言った、通話形式を識別した情報である。
コアネットワークＵＭＴＳ  ＣＮは割り当てメッセージＡＳＳＩＧＮ１を送信することで第二段階で応答する。これは要求通話を確認し、少なくとも、うまくセットアップされた通話に対しての伝達識別を含む。これはコアネットワークＵＭＴＳ  ＣＮおよび携帯電話利用者端末ＵＥに要求伝達を利用者水準にセットアップするように命令する。第二番目の論理装置ＬＵ２は通話に関して相当する情報を格納する。
【００６７】
携帯電話利用者端末ＵＥはコアネットワークＵＭＴＳ  ＣＮへセットアップメッセージＳＥＴＵＰ２（Ａ−Ｃ）を送信することで第三段階での第二番目の通話をセットアップする。このメッセージは少なくとも要求通話形式、通話が接続されるべき加入者および通話識別に関する情報を含む。コアネットワークＵＴＭＳ  ＣＮは、割り当てメッセージＡＳＳＩＧＮ２を送信することで第４段階で応答する。これは、要求通話を確認し、少なくとも、うまくセットアップされた通話に対しての伝達識別を有する。これはコアネットワークＵＴＭＳ  ＣＮおよび携帯電話利用者端末ＵＥに要求伝達を利用者水準にセットアップするように命令する。第二番目の論理装置ＬＵ２は通話に関して相当する情報を格納する。
【００６８】
第三番目の通話をセットアップする前に、携帯電話利用者端末ＵＥでの第二番目の論理装置ＬＵ２は一通話が保留されるべきであることを決定する。第二番目の論理装置ＬＵ２は第一番目の通話を保留することを決定する。以前、すでに述べたように、通話が保留されるべきか否か、または同方向通話が許可されるか否か、を決定する異なる方法が可能である。携帯電話利用者端末は保留メッセージＨＯＬＤ（Ａ−Ｂ）を送信することでこの決定に関してコアネットワークＵＭＴＳ  ＣＮに通知する。このメッセージは通話が保留されるべき情報および当該通話の通話識別を含む。コアネットワークＵＭＴＳ  ＣＮは通話を保留して保留された通話の通話識別を含むメッセージＨＯＬＤ  ＡＣＫ（Ａ−Ｂ）を送信することで受信確認する。
【００６９】
その後、携帯電話利用者端末はコアネットワークへセットアップメッセージＳＥＴＵＰ３（Ａ−Ｄ）を送信することで新規伝達を使用して第三番目の通話をセットアップし始める。新規の伝達は重複割り当てがなされるので必要である。重複割り当ては保留される通話の利用者水準を落とし、通話待ち受けの伝達によって新規利用者水準をセットアップする。コアネットワークＵＭＴＳ  ＣＮは、割り当てメッセージＡＳＳＩＧＮ３を送信することで新規伝達の同一性に関して携帯電話利用者端末ＵＥに通知する。
【００７０】
以下に実施例が図８を用いて説明される。携帯電話利用者端末ＵＥがコアネットワークＵＭＴＳ  ＣＮへセットアップメッセージＳＥＴＵＰ１（Ａ−Ｂ）を送信することで第一段階での第一番目の通話をセットアップする。このメッセージは少なくとも要求通話形式、通話が接続されるべき加入者および通話識別に関する情報を含む。コアネットワークＵＭＴＳ  ＣＮは要求通話を確認し、少なくとも、うまくセットアップされた通話に対しての伝達識別を有する割り当てメッセージＡＳＳＩＧＮ１を送信することで第二段階で応答する。これはコアネットワークＵＭＴＳ  ＣＮおよび携帯電話利用者端末ＵＥに要求伝達を利用者水準にセットアップするように命令する。第二番目の論理装置ＬＵ２は通話に関して相当する情報を格納する。
【００７１】
携帯電話利用者端末ＵＥはコアネットワークＵＭＴＳ  ＣＮへセットアップメッセージＳＥＴＵＰ２（Ａ−Ｃ）を送信することで第三段階での第二番目の通話をセットアップする。このメッセージは、少なくとも要求通話形式、通話が接続されるべき加入者および通話識別に関する情報を含む。コアネットワークＵＭＴＳ  ＣＮは要求通話を確認し、少なくとも、うまくセットアップされた通話に対しての伝達要求を有する割り当てメッセージＡＳＳＩＧＮ２を送信することで第四段階で応答する。これはコアネットワークＵＭＴＳ  ＣＮおよび携帯電話利用者端末ＵＥに要求伝達を利用者水準にセットアップするように命令する。第二番目の論理装置ＬＵ２は通話に関して相当する情報を格納する。
【００７２】
コアネットワークＵＭＴＳ  ＣＮは入力呼の試みを示したメッセージＳＥＴＵＰ３（Ｄ−Ａ）を受信する。コアネットワークＵＭＴＳ  ＣＮは、セットアップメッセージＳＥＴＵＰ３（Ｄ−Ａ）を送信することで入力呼の試みに関して携帯電話利用者端末に通知する。第二番目の論理装置ＬＵ２は、新規の同方向通話としてこの通話を受けることを決定し、同方向通話として通話がセットアップされるべき指示を含んだ受信メッセージＣＡＬＬ  ＣＯＮＦＩＲＭＥＤを送信することでコアネットワークに通知する。コアネットワークＵＭＴＳ  ＣＮは要求通話を確認し、少なくとも、うまくセットアップされた通話に対しての伝達要求を有する割り当てメッセージＡＳＳＩＧＮ３を送信して応答する。これはコアネットワークＵＭＴＳ  ＣＮおよび携帯電話利用者端末ＵＥに要求伝達を利用者水準にセットアップするために命令する。携帯電話利用者端末ＵＥはコアネットワークＵＭＴＳ  ＣＮへ警告メッセージＡＬＥＲＴＩＮＧを送信することで通話グループに向かってシグナリングを開始する。
【００７３】
以下に実施例が図９を用いて説明される。携帯電話利用者端末ＵＥはコアネットワークＵＭＴＳ  ＣＮへセットアップメッセージＳＥＴＵＰ１（Ａ−Ｂ）を送信することで第一段階での第一番目の通話をセットアップする。このメッセージは、少なくとも要求通話形式、接続されるべき加入者および通話識別に関する情報を含む。コアネットワークＵＭＴＳ  ＣＮは、要求通話を確認し、少なくとも、うまくセットアップされた通話に対しての伝達識別を有する割り当てメッセージＡＳＳＩＧＮ１を送信することで第二段階で応答する。これはコアネットワークＵＭＴＳ  ＣＮおよび携帯電話利用者端末ＵＥに要求伝達を利用者水準にセットアップするように命令する。第二番目の論理装置ＬＵ２は通話に関して相当する情報を格納する。
【００７４】
携帯電話利用者端末ＵＥはコアネットワークＵＭＴＳ  ＣＮへセットアップメッセージＳＥＴＵＰ２（Ａ−Ｃ）を送信することで第三段階での第二番目の通話をセットアップする。このメッセージは、少なくとも、要求通話形式、通話が接続されるべき加入者および通話識別に関する情報を含む。コアネットワークＵＭＴＳ  ＣＮは要求通話を確認し、少なくとも、うまくセットアップされた通話に対しての伝達識別を有する割り当てメッセージＡＳＳＩＧＮ２を送信することで第４段階で応答する。これはコアネットワークＵＭＴＳ  ＣＮおよび携帯電話利用者端末ＵＥに要求伝達を利用者水準にセットアップするように命令する。第二番目の論理装置ＬＵ２が通話に関して相当する情報を格納する。
【００７５】
コアネットワークＵＭＴＳ  ＣＮは入力呼の試みを示したメッセージＳＥＴＵＰ３（Ｄ−Ａ）を受信する。コアネットワークＵＭＴＳ  ＣＮはセットアップメッセージＳＥＴＵＰ３（Ｄ−Ａ）を送信することで入力呼の試みに関して携帯電話利用者端末に通知する。第二番目の論理装置ＬＵ２は通話待ち受けとしてこの通話の受け入れを決定し、携帯電話利用者端末ＵＥは、通話が通話待ち受けおよび通話識別としてセットアップされる情報を含む受信メッセージＣＡＬＬ  ＣＯＮＦＩＲＭＥＤを送信することでコアネットワークＵＭＴＳ  ＣＮに通知する。携帯電話利用者端末ＵＥはコアネットワークＵＭＴＳ  ＣＮへ警告メッセージＡＬＥＲＴＩＮＧを送信することで発呼者に向けてシグナリングを開始する。第二番目の論理装置ＬＵ２が第一番目の通話を保留することを決定し、通話が保留される情報とこの通話の通話識別を含む保留メッセージＨＯＬＤ（Ａ−Ｂ）を送信することでコアネットワークＵＭＴＳ  ＣＮに通知する。コアネットワークＵＭＴＳ  ＣＮは通話を保留し、受信確認メッセージＨＯＬＤ  ＡＣＫ（Ａ−Ｂ）を送信することで通話の受信確認をする。携帯電話利用者端末は接続メッセージＣＯＮＮＥＣＴを送信することで第一番目の通話伝達を再利用した通話待ち受けを有効にする。
【００７６】
以下に実施例が図１０を用いて説明される。携帯電話利用者端末ＵＥはコアネットワークＵＭＴＳ  ＣＮへセットアップメッセージＳＥＴＵＰ１（Ａ−Ｂ）を送信することで第一段階での第一番目の通話をセットアップする。このメッセージは、少なくとも要求通話形式、通話が接続されるべき加入者および通話識別に関する情報を含む。コアネットワークＵＭＴＳ  ＣＮは要求通話を確認し、少なくとも、うまくセットアップされた通話に対しての伝達識別を有する割り当てメッセージＡＳＳＩＧＮ１を送信することで第二段階で応答する。これはコアネットワークＵＭＴＳ  ＣＮおよび携帯電話利用者端末ＵＥに要求伝達を利用者水準にセットアップするように命令する。第二番目の論理装置ＬＵ２は通話に関して相当する情報を格納する。
【００７７】
携帯電話利用者端末ＵＥはコアネットワークＵＭＴＳ  ＣＮへセットアップメッセージＳＥＴＵＰ２（Ａ−Ｃ）を送信することで第三段階での第二番目の通話をセットアップする。このメッセージは、少なくとも要求通話、通話が接続されるべき加入者および通話識別に関する情報を含む。コアネットワークＵＭＴＳ  ＣＮは要求通話を確認し、少なくとも、うまくセットアップされた通話に対しての伝達識別を有する割り当てメッセージＡＳＳＩＧＮ２を送信することで第四段階で応答する。この命令はコアネットワークＵＭＴＳ  ＣＮおよび携帯電話利用者端末ＵＥに要求伝達を利用者水準にセットアップするように命令する。第二番目の論理装置ＬＵ２は通話に関して相当する情報を格納する。
【００７８】
コアネットワークＵＭＴＳ  ＣＮは入力呼の試みを示したメッセージＳＥＴＵＰ３（Ｄ−Ａ）を受信する。コアネットワークＵＭＴＳ  ＣＮはセットアップメッセージＳＥＴＵＰ３（Ｄ−Ａ）を送信することで入力呼の試みに関して携帯電話利用者端末に通知する。第二番目の論理装置ＬＵ２がこの通話を拒絶することを決定し、携帯電話利用者端末ＵＥは拒絶メッセージＤＩＳＣＯＮＮＥＣＴを送信することでコアネットワークＵＭＴＳ  ＣＮに通知する。このメッセージＤＩＳＣＯＮＮＥＣＴは通話拒絶情報とこの通話の通話識別を含む。通話中着信転送サービスは当該サービスが加入者に対して有効に機能しているか否かを明確にすると推定する。
【００７９】
本発明によると、サービスは移動通信システムにおいて提供される。該システムが同方向通信を許可するので、例えば、多数通話が可能なＵＭＴＳシステムまたはその他システムは理解されうる。利用者に提供されるサービスは、ＧＳＭ分野では周知の通話保留のようなサービスが可能である。
【００８０】
以下に本発明による論理装置が説明される（図なし）。前記記述した図より参照される。
【００８１】
移動通信システムのコアネットワークＵＭＴＳ  ＣＮにおける論理装置は、ｍ＝１，２，３，．．．で、ｍ個の異なる伝達能力のｎ＝１，２，３，．．．である、通話数ｎを処理する。
【００８２】
すでにセットアップされた通話数ｎで伝達能力ｍと、通話ｎ＋１をセットアップするために要求される伝達能力を比較する方法が提供される。したがって、当該手段は全通話の全伝達能力を比較する。さらに、通話が新規の同方向通話または通話待ち受けとして提供されるべきか否かを決定する手段および当該決定を実行する手段が提供される。当該決定は、例えば、接続加入者、アプリケーションまたは、例えば実行可能な同方向通話数、伝送数と言った、携帯電話利用者端末の性能、または、例えば、可能な同方向通話数や接続数と言った、ネットワーク能力によって決まる、利用者設定に基づく。例えば通話識別、伝達識別および伝達能力と言った、有効通話に関した情報を格納する格納手段も提供される。
【００８３】
ｍ＝１，２，３，．．．でｍ個の異なる伝達能力で、ｎ＝１，２，３，．．．で通話数ｎが処理される移動通信システムの携帯電話利用者端末にて提供される別の論理装置は、次項で説明される（図なし）。
【００８４】
論理装置は、すでにセットアップされた通話数ｎで伝達能力ｍと、通話ｎ＋１のセットアップを要求された伝達能力を比較する手段と通話が新規の同方向通話としてセットアップされるべきか否か、または、通話ｎ＋１をセットアップまたは受信する前に、通話数ｎのうちどれが保留されるべきかを決定する手段を有する。決定する手段は前記記載のものと同様である。論理装置は前記決定を実行する手段および有効通話に関する情報を格納する格納手段を有する。
【００８５】
前記記載の２つの論理装置において、決定手段は、例えば、利用者が発信者に優先権を与えることができると言ったような、利用者の設定に従う。これは、特定の通話者が常時、利用者に許可され、接続されることを意味する。例えば優先順位の低い通話者は接続されない。
【００８６】
前記記載の利用者の設定は、一度設定すると、新たに設定を行うか、通信システムへの第一回目の接続前に設定されるか、毎回通話設定前に設定されうるまで有効な状態となりうる。利用者の設定は前記記載の方法および本発明の項目によって、論理装置で行われる。
【００８７】
携帯電話利用者に決定を示す手段が提供される。当該指示は、携帯電話利用者端末使用時に視覚、聴覚または触覚にて感知できる。
【００８８】
前記記載の方法および論理装置はＵＭＴＳシステムにおいて、例えばＧＳＭシステムから受け継いだ補足的なサービスを提供する。
【図面の簡単な説明】
以下に、本発明は実施例と添付図を用いて説明する。
【図１】  携帯電話着信通話における通信システムで三者同時通話のセットアップのための信号シーケンスである。
【図２】  二者同時通話のセットアップのための信号シーケンスおよび携帯電話発信通話のための保留処理手続きを示す。
【図３】  携帯電話着信通話における通信システムで三者同時通話のセットアップのための信号シーケンスである。
【図４】  二者同時通話のセットアップのための信号シーケンスおよび携帯電話着信通話のための保留処理手続きを示す。
【図５】  二者同時通話のセットアップのための信号シーケンスおよび第三者通話の拒絶を示す。
【図６】  携帯電話発信通話における通信システムで三者同時通話のセットアップのための信号シーケンスを示す。
【図７】  二者同時通話のセットアップのための信号シーケンスおよび携帯電話発信通話のための保留処理手続きを示す。
【図８】  携帯電話発信通話における通信システムで第三者同時通話のセットアップのための信号シーケンスを示す。
【図９】  二者同時通話のセットアップのための信号シーケンスおよび携帯電話発信通話のための保留手続きを示す。
【図１０】  二者同時通話のセットアップのための信号シーケンスおよび第三者通話の拒絶を示す。
【図１１】  図１１ａは複数通話、図１１ｂは複数グループ通話を示す。
【図１】
0004597385.tif 000002
【図２】
0004597385.tif 000003
【図３】
0004597385.tif 000004
【図４】
0004597385.tif 000005
【図５】
0004597385.tif 000006
【図６】
0004597385.tif 000007
【図７】
0004597385.tif 000008
【図８】
0004597385.tif 000009
【図９】
0004597385.tif 000010
【図１０】
0004597385.tif 000011
【図１１】
0004597385.tif 000012